(57)【要約】【課題】外部から被収納物を視認可能なポケットを背面に設けつつも、縫製が容易で、メッシュ部の面積を容易に確保することができる釣り用上衣を提供する。【解決手段】後身頃１の少なくとも一部がメッシュ生地から構成され、該メッシュ部の外側を覆うカバー体３が設けられ、該カバー体３でメッシュ部を覆った第一使用状態とメッシュ部を露出させた第二使用状態とを任意に選択して使用でき、外部から被収納物を視認可能なポケット３０を備え、第一使用状態においてはカバー体３の外側に、また、第二使用状態においてはメッシュ部の外側に、それぞれポケット３０の少なくとも一部が重なるように位置する。【選択図】      図１
2004159619.tif 000002
【特許請求の範囲】
【請求項１】
後身頃の少なくとも一部がメッシュ生地から構成され、該メッシュ部の外側を覆うカバー体が設けられ、該カバー体でメッシュ部を覆った第一使用状態とメッシュ部を露出させた第二使用状態とを任意に選択して使用できる釣り用上衣であって、
外部から被収納物を視認可能なポケットを備え、第一使用状態においてはカバー体の外側に、また、第二使用状態においてはメッシュ部の外側に、それぞれポケットの少なくとも一部が重なるように位置することを特徴とする釣り用上衣。
【請求項２】
ポケットの略全体がカバー体及びメッシュ部に重なる請求項１記載の釣り用上衣。
【請求項３】
第一使用状態と第二使用状態の双方において、ポケットの位置が略同じである請求項１又は２記載の釣り用上衣。
【請求項４】
ポケットが釣り用上衣から着脱可能である請求項１記載の釣り用上衣。
【請求項５】
ポケットには該ポケットが入川券入れであることを表示する表示部が設けられている請求項４記載の釣り用上衣。
【請求項６】
ポケットがメッシュ生地から構成されている請求項１記載の釣り用上衣。
【請求項７】
ポケットがメッシュ部と同じメッシュ生地から構成されている請求項６記載の釣り用上衣。
【請求項８】
カバー体の外面とメッシュ部の外面の双方に、ポケットを固定する固定手段が設けられている請求項１記載の釣り用上衣。
【請求項９】
固定手段はドット釦である請求項８記載の釣り用上衣。
【請求項１０】
メッシュ部に補強片を介してドット釦が取り付けられている請求項９記載の釣り用上衣。
【請求項１１】
メッシュ部は、内外二重構造であって内外両生地間に物品を収納できるように構成されている請求項１に記載の釣り用上衣。
【請求項１２】
背面部にメッシュ生地からなるメッシュ部を有し、該メッシュ部の外側にカバー体が着脱可能に取り付けられた釣り用上衣であって、
外部から被収納物を視認可能なポケットを備え、カバー体を取り付けた状態においては該カバー体の外側に、また、カバー体を取り外した状態においてはメッシュ部の外側に、それぞれポケットの少なくとも一部が重なるように位置することを特徴とする釣り用上衣。
【請求項１３】
ポケットの略全体がカバー体及びメッシュ部に重なり、ポケットが釣り用上衣から着脱可能であり、且つ、カバー体の外面とメッシュ部の外面の双方に、ポケットを固定する固定手段が設けられている請求項１２記載の釣り用上衣。
【発明の詳細な説明】
【０００１】
【発明の属する技術分野】
本発明は、釣り用ベスト等の釣り用上衣に関し、特に、季節や天候等に応じて後身頃の使用状態を変更できる釣り用上衣に関する。
【０００２】
【従来の技術】
釣り用ベストには種々の形態のものがあるが、後身頃の通気性を二通りに変化させることのできるものがある。これは、後身頃の一部をメッシュ生地から構成すると共に、そのメッシュ部の外側をカバー体で覆うように構成し、そのカバー体を付けたり外したりできるものである。そして、例えば、夏場にはカバー体を取り外してメッシュ部を露出させて蒸れを抑制し、冬場にはカバー体を取り付けて防寒性を高めて使用することができる。
【０００３】
一方、鮎釣りや渓流釣り等のような川釣りを行う場合には、日券や年券等の入川券（入漁券、遊魚券）を購入し、これを携帯して釣りを行う必要がある。そして、釣り人は、監視人の求めに応じて入川券を提示することが必要となる。該入川券は、ケースに入れて首にかけたり、ピン等で衣服等に固定しておくこともでき、また入川券を入れるポケットのある帽子も提案されている（特許文献１）。しかしながら、鮎釣り等の場合には通常釣り用ベストを装着するため、その釣り用ベストのポケットに収納する方が便利である。そのため、入川券を収納できるポケットが前身頃に設けられているものもある。該ポケットは、その外面が透明プラスチックシートからなり、従って、収納した入川券を外部から視認することができる。
【０００４】
これに対して、図６のように前身頃ではなく後身頃に入川券用のポケット５１を設けることも考えられ、この場合、前身頃に他の釣り用小物を収納するためのポケットを数多く配置することができる。
【０００５】
【特許文献１】
特開平８−１３４７１１号公報
【０００６】
【発明が解決しようとする課題】
しかしながら、上述のように着脱式のカバー体を備えている釣り用ベストにあっては、カバー体の着脱に関わらず入川券を収納できるポケットが要求される。図６のようにメッシュ部５０以外の部分にポケット５１を設けることもできるが、その分、メッシュ部５０の面積を広くとることは困難となり、後身頃に入川券用のポケットを設けていないものに比して通気性に劣る。これに対して、例えば、図６に示すものにおいて、ポケット５１の左右の部分もメッシュ部５０としてその領域を拡大することも可能ではあるが、メッシュ部５０が複雑な形状となって縫製が困難となる他、外観体裁上も問題がある。
かかる問題は、入川券用のポケットに限られず、外部からの視認が必要な物を収納するポケット全般に共通するものである。
【０００７】
それゆえに本発明は、外部から被収納物を視認可能なポケットを背面に設けつつも、縫製が容易で、メッシュ部の面積を容易に確保することができる釣り用上衣を提供することを課題とする。
【０００８】
【課題を解決するための手段】
本発明は、上記課題を解決すべくなされたものであり、本発明に係る釣り用上衣は、後身頃の少なくとも一部がメッシュ生地から構成され、該メッシュ部の外側を覆うカバー体が設けられ、該カバー体でメッシュ部を覆った第一使用状態とメッシュ部を露出させた第二使用状態とを任意に選択して使用できる釣り用上衣であって、外部から被収納物を視認可能なポケットを備え、第一使用状態においてはカバー体の外側に、また、第二使用状態においてはメッシュ部の外側に、それぞれポケットの少なくとも一部が重なるように位置することを特徴とする。
【０００９】
該構成の釣り用上衣にあっては、外部から被収納物を視認可能なポケットの少なくとも一部が、第一、第二何れの使用状態においてもカバー体やメッシュ部の外側に重なるように配置されているため、重ならない構成に比してメッシュ部の面積を確保しやすくなり、且つ、メッシュ部の形状も複雑化しないので、縫製も容易である。
【００１０】
特に、ポケットの略全体がカバー体及びメッシュ部に重なることが好ましく、メッシュ部の面積確保がより一層容易となる。
【００１１】
また、第一使用状態と第二使用状態の双方において、ポケットの位置が略同じであることが好ましい。この場合、釣り人は使用状態に関わらずに常に同じ姿勢を取ることにより、監視人等の他の者に入川券等の被収納物を視認させることができ、利便性が高まる。本発明におけるポケットは、釣り用上衣の正面ではなく背面に位置するものであり、従って、釣り用上衣を着用した釣り人はそのポケットを着用時において確認することができない。そのため、使用状態によらず常に一定の位置にポケットが位置することで、他の者にポケット内の被収納物を視認させる際の煩わしさを防止することができる。
【００１２】
また更に、ポケットが釣り用上衣から着脱可能であることが好ましく、ポケットのみを取り外して洗濯することができる。
【００１３】
その場合、特に、ポケットには該ポケットが入川券入れであることを表示する表示部が設けられていることが好ましく、取り外したポケットの保管が表示部により容易になる。しかも、ポケットを釣り用上衣に付けて着用した場合、上述の如くポケットは背面に位置するため、監視人等の他の者に入川券を見せる場合においても便利である。
【００１４】
また、ポケットがメッシュ生地から構成されていることが好ましく、第二使用状態においてポケットの重なり部分における通気性を確保できる。
【００１５】
特に、ポケットがメッシュ部と同じメッシュ生地から構成されていることが好ましく、第二使用状態における外観が良好となる。
【００１６】
また、カバー体の外面とメッシュ部の外面の双方に、ポケットを固定する固定手段が設けられていることが好ましく、該固定手段により、重なり状態を確実に維持することができる。
【００１７】
特に、固定手段がドット釦であれば、容易且つ確実に固定することができる。ドット釦が設けられた部分以外の部分はメッシュ部から離反しているが、ドット釦はそれ自体専有面積が小さいため、メッシュ部から離反する部分の面積が大きくなる。従って、メッシュ部とポケットとの間の隙間を介して重なり部分の通気性を確保することが容易となる。
【００１８】
更に、メッシュ部に補強片を介してドット釦が取り付けられていることが好ましく、これにより、繰り返しの固定に対する耐久性を確保することができる。
【００１９】
また、メッシュ部は、内外二重構造であって内外両生地間に物品を収納できるように構成されていることが好ましく、ポケットを有する場合であっても他の物品を後身頃に収納することができる。
【００２０】
また、本発明における釣り用上衣にあっては、背面部にメッシュ生地からなるメッシュ部を有し、該メッシュ部の外側にカバー体が着脱可能に取り付けられた釣り用上衣であって、外部から被収納物を視認可能なポケットを備え、カバー体を取り付けた状態においては該カバー体の外側に、また、カバー体を取り外した状態においてはメッシュ部の外側に、それぞれポケットの少なくとも一部が重なるように位置することを特徴とする。
【００２１】
該構成の釣り用上衣にあっては、外部から被収納物を視認可能なポケットの少なくとも一部が、カバー体やメッシュ部の外側に重なるように配置されているため、重ならない構成に比してメッシュ部の面積を確保しやすくなり、且つ、メッシュ部の形状も複雑化しないので、縫製も容易である。
【００２２】
更に、ポケットの略全体がカバー体及びメッシュ部に重なり、ポケットが釣り用上衣から着脱可能であり、且つ、カバー体の外面とメッシュ部の外面の双方に、ポケットを固定する固定手段が設けられていることが好ましい。該構成においては、ポケットが不要であるとき、カバー体を取り付けて着用する場合には、メッシュ部の外面にポケットを固定することでポケットをカバー体の内側に位置させることができ、カバー体を外して着用する場合には、取り外したカバー体の外面にポケットを取り付けておくことで、ポケットのみが紛失することを防止することができる。
【００２３】
【発明の実施の形態】
以下、本発明に係る釣り用上衣の一実施形態として、図１乃至図５を参酌しつつ、背面部にメッシュ生地からなるメッシュ部２を有する釣り用ベストについて説明する。
【００２４】
該釣り用ベストは、後身頃１の一部がメッシュ生地から構成され、該メッシュ部２の外側を覆うカバー体３が設けられており、該カバー体３でメッシュ部２を覆った使用状態（第一使用状態）と、メッシュ部２を露出させた使用状態（第二使用状態）とを任意に選択して使用することができるように構成されている。
【００２５】
詳細には、本実施形態では、カバー体３がベスト本体に着脱自在に取り付けられる構成とされている。前記メッシュ部２は、後身頃１の肩部４以外の下方の領域に設けられており、カバー体３はそのメッシュ部２の大部分を覆う構成となっている。
【００２６】
後身頃１の肩部４には表地が設けられ、メッシュ部２を構成するメッシュ生地は、後身頃１を横断する縫着部５により、肩部４の表地と縫着されている。尚、表地は、メッシュ生地よりも目の詰まった生地、即ち、通気性がメッシュ生地よりも劣る生地から構成され、特に通気性のないものから構成される。例えば、各種のプラスチックフィルムを裏面に貼り合わせることにより通気性のないものとされている。カバー体３にも肩部４と同じ生地が使用されている。
【００２７】
また、肩部４を構成する表地は、縫着部５から下方に向けて所定長さ延設されたスカート片６を備えている。該スカート片６は、後身頃１の全幅に亘って設けられると共に、その左右両端部はメッシュ部２と縫着されている。このように、スカート片６の上端部、左右両端部が縫着されることにより、下方に開口した上方袋部が形成される。そして、スカート片６の内面に、カバー体３の上端部を固定するための固定手段としてのドット釦７が取り付けられ、図４のようにカバー体３の上端部はスカート片６の内側に所定長さ挿入されて取り付けられ、従って、ドット釦７，８もスカート片６によって覆われて外部からは見えない。
【００２８】
更に、カバー体３は、後身頃１の左右両脇腹部においても固定され、固定手段としては上述したのと同様にドット釦９，１０が使用されている。後身頃１と前身頃の境界部には、側方に突出する取付用突片１１が左右各々設けられており、該取付用突片１１の背面側にドット釦９が取り付けられている。一方、図５のように、カバー体３の側縁部下部は、二重に構成されて側方に開口する側方袋部１２を有し、その側方袋部１２を構成する内側層１２ａの内面にドット釦１０が取り付けられている。そして、左右両取付用突片１１の先端を図１のように側方袋部１２に挿入させ、ドット釦９，１０によりカバー体３の側縁部下部をベスト本体に固定する。このように、側方袋部１２の内側にカバー体３を固定するため、ドット釦９，１０は外部からは見えない。
【００２９】
尚、後身頃１におけるメッシュ部２の両側縁部下部にも同様に、内側層１３ａの内面にドット釦１４が取り付けられた側方袋部１３が設けられ、図２のようにカバー体３を取り外した際に左右に突出する取付用突片１１の先端を図３のように側方袋部１３に差し込んでドット釦９，１４により固定することができる。従って、カバー体３を使用しない第二使用状態においても取付用突片１１が側方に突出してばたついたりすることがなく、釣りの妨げになることがない。しかも、その状態においてもドット釦９，１４は外部から見えない。
【００３０】
また、カバー体３の下端部は、スライドファスナー１５（固定手段）により着脱可能に取り付けられる。即ち、カバー体３の下端部とメッシュ部２の下端部の双方に、スライドファスナー１５を有する帯状片１６が取り付けられ、これによりカバー体３の下端部を着脱可能とされている。
【００３１】
このように、カバー体３をドット釦７，８，９，１０，１４やスライドファスナー１５により任意に取付、取り外しすることができる。固定手段としてはドット釦やスライドファスナーを使用すれば、着脱が容易であるうえに取付も確実となる。
【００３２】
一方、前記メッシュ部２は、図２乃至図４のように、内外二重構造となっており、内側メッシュ部２ａ（内側メッシュ生地）と外側メッシュ部２ｂ（外側メッシュ生地）との間に物品を収納できるように構成されている。物品としてはレインコート等の雨具等、種々の釣り用小物がある。また、外側メッシュ部２ｂは内側メッシュ部２ａよりも幅狭に形成され、外側メッシュ部２ｂの側縁部上部は、内側メッシュ部２ａの側縁部上部よりも中央側に位置している。従って、左右両開口部２０からの物品の出し入れが容易となる。
【００３３】
尚、前記カバー体３は、第一使用状態において、外側メッシュ部２ｂ全体を外側から覆うが、図１のように内側メッシュ部２ａの側縁部所定領域はカバー体３で覆われずに露出した状態にある。
【００３４】
更に、メッシュ部２を構成するメッシュ生地は、種々のものを使用することができるが、例えば、１乃至２ｍｍ程度の開口を形成しているメッシュ生地が好ましい。尚、内外両メッシュ部２ａ，ｂは同じメッシュ生地から構成しているが、互いに異なるメッシュ生地から構成してもよい。
【００３５】
また、かかる釣り用ベストは、外部から被収納物を視認可能なポケット３０が後身頃１に設けられている。該ポケット３０は、主として、年券等の入川券を収納するためのものであり、収納した入川券を監視人等がポケット３０外部から視認することができる構成となっている。外部から視認可能にする構成としては、例えば、ポケット３０の外面の少なくとも一部を透明シートとする構成もあるが、本実施形態では、メッシュ生地からポケット３０を構成するようにしている。従って、収納した入川券をメッシュ生地の開口を通して視認可能である。外部から被収納物を視認可能とするにはポケット３０の外面のみをメッシュ生地から構成することで足りるが、通気性の観点で、内面をもメッシュ生地から構成することが好ましく、従って、本実施形態ではメッシュ生地からポケット３０全体を構成している。更に、ポケット３０を構成するメッシュ生地はメッシュ部２のメッシュ生地と同じものが使用されている。
【００３６】
また、該ポケット３０は、全体として矩形、具体的には横長の長方形を呈しており、各種の入川券を容易に収納することができる。尚、ポケット３０の外面上部には、被収納物を出し入れするための開口部３１が設けられている。該開口部３１は横方向に伸びており、スライドファスナー（図示省略）により開閉可能に構成されている。尚、開口部３１には、スライドファスナーを覆い隠すための帯状片が設けられている。更に、開口部３１の下方には、該ポケット３０が入川券入れであることを表示する表示部３２が設けられている。具体的には、例えば、ライセンスカードポケットと印刷等で表示された小片が表示部３２として縫着されている。このように、ポケット３０に表示部３２が設けられているため、入川券を監視人に見せるときも監視人にとってその存在がわかりやすくなり、また、後述のように、ポケット３０が着脱可能である場合には、取り外したポケット３０が入川券入れであることを使用者である釣り人が容易に確認できるという利点がある。
【００３７】
以上のように構成されたポケット３０は、いわゆるアウトサイドポケットであって、第一使用状態においてはカバー体３の外面に、また、第二使用状態においてはメッシュ部２の外面に、それぞれ着脱可能に取り付けられる。従って、カバー体３の外面にも固定手段としてのドット釦が取り付けられ、メッシュ部２の外面にもドット釦４１が取り付けられており、ポケット３０にもドット釦４０が取り付けられている。
また、ポケット３０をカバー体３の外面若しくはメッシュ部２の外面に取り付けた状態において、ポケット３０の略全体がカバー体３若しくはメッシュ部２に重なるように位置する。しかも、図１及び図２のように、第一使用状態と第二使用状態においてポケット３０の取付位置は略同じである。そのため、カバー体３とメッシュ部２には、互いに略同じ位置にドット釦（固定手段）が設けられている。尚、ポケット３０のドット釦４０は四隅に設けられ、且つ、三角形状等の補強片４２を介してドット釦４０は取り付けられている。また、メッシュ部２にも矩形等の補強片４３を介してドット釦４１は取り付けられ、より具体的には、外側メッシュ部２ｂに取り付けられている。尚、これらの補強片４２，４３は、メッシュ生地よりも目が詰まった生地であり、カバー体３や肩部４を構成する表地と同じ生地が外観的にも好ましい。
【００３８】
かかる釣り用ベストにあっては、釣り人はメッシュ部２よりも目の詰まった（通気性の低い）カバー体３を任意に着脱することで、第一及び第二の二つの使用状態で釣り用ベストを使用することができる。そして、その場合において、カバー体３の外側及びメッシュ部２の外側にポケット３０略全体が重なるように位置するので、カバー体３やメッシュ部と重なり合うことなく他の位置にポケットを設ける構成に比して、メッシュ部２の領域を大きく確保することができ、しかも縫製も容易である。従って、入川券を入れるポケット３０を背面に設けた場合であっても、特に夏場における通気性を十分に確保することができるという利点がある。
【００３９】
特に、ポケット３０がメッシュ生地から構成されているため、第二使用状態においてメッシュ部２の外面にポケット３０を位置させた際においても、メッシュ部２の通気性がポケット３０により阻害されることはなく、十分な通気性を確保することができる。しかも、ポケット３０がメッシュ部２と同じメッシュ生地から構成されているので、メッシュ部２の外面にポケット３０が位置しても、外観上違和感は無く、良好な外観体裁を得ることができる。
【００４０】
更に、図１に示す第一使用状態と図３に示す第二使用状態の双方において、ポケット３０が略同じ位置に位置するため、釣り人は季節問わず、即ち、二つの使用状態によらず常に一定の姿勢を取ることにより監視人に入川券を提示することができ、従って、入川券を提示しながら釣りを続行することも容易にある。
【００４１】
また、カバー体３の外面とメッシュ部２の外面の双方にポケット３０を固定する固定手段を設けたのでポケット３０の重なり状態が確実に維持される。特に、固定手段としてドット釦を設けたので、着脱が容易であるうえに確実に固定される。また、上述のように、補強片４３を介してドット釦４１をメッシュ部２に取り付けているので、繰り返しの着脱にも耐えうる強度が確保される。また、ドット釦とすれば、面ファスナー等の他の固定手段に比して専有面積が小さくでき、通気性の確保にも有利である。
【００４２】
尚、カバー体３やメッシュ部２の外側にポケット３０を位置させる構成としては、上述したようなカバー体３やメッシュ部２の外面にポケット３０を固定手段により固定する構成以外にも種々の構成がある。例えば、カバー体３やメッシュ部２の外面に着脱可能に構成するのではなく、肩部４と裾部との間を上下に架橋する紐体を設け、該紐体にポケット３０を取り付けるなどして、カバー体３の着脱によらず常に所定位置（図１や図３に示した位置等）にポケット３０が位置するように構成することもできる。
また、例えば、ポケット３０を下端部を後身頃１の裾部に縫着してその下端部を支点としてポケット３０を上下に回動可能に構成し、カバー体３及びメッシュ部２にはポケット３０の上端部を固定するドット釦等の固定手段を設けてもよい。このように固定手段を設けることにより、ポケット３０の上端部を確実に固定でき、従って、ポケット３０の重なり状態を確実に維持することができる。
何れにしても、第一使用状態においてはカバー体３の外側に、また、第二使用状態においてはメッシュ部２の外側に、それぞれポケット３０の略全体が重なるように位置することにより、メッシュ部２の領域を十分に確保することができる。
【００４３】
但し、ポケット３０がカバー体３及びメッシュ部２の外面に着脱可能であることにより、ポケット３０単体で洗濯することもでき、逆に、ポケット３０を取り外した釣り用ベストのみを洗濯することもできる。
また不要な場合にはポケット３０を取り外した状態で釣りを行うこともできる。ポケット３０が不要の場合、第一使用状態においてはメッシュ部２にポケット３０を取り付けることでカバー体３の内側にポケット３０を隠すことができ、また、第二使用状態においては、取り外したカバー体３にポケット３０を取り付けておくことでポケット３０の紛失を防止することができる。
【００４４】
また、上記実施形態では、カバー体３が着脱可能に構成されていたが、カバー体３を取り外すのではなく、例えば、カバー体３の一端部が固定され、その一端部に向けてカバー体３を他端部側から丸めるようにしてメッシュ部２を露出させる構成としてもよい。また、カバー体３を着脱可能とする構成であっても固定手段はドット釦やスライドファスナーには限られず面ファスナー等の種々の固定手段を採用し得る。
【００４５】
尚、上述の説明では、ポケット３０が第一及び第二使用状態において略同一位置に位置する構成としたが、互いに異なる位置に位置する構成としてもよい。また、ポケット３０の略全体ではなく一部がカバー体３やメッシュ部２に重なる構成としてもよい。
【００４６】
また更に、釣り用ベストではなく袖を有する釣り用上衣であっても無論よく、ポケット３０の形状や配置についても適宜設計変更可能である。
【００４７】
【発明の効果】
以上のように、本発明に係る釣り用上衣にあっては、ポケットの少なくとも一部がカバー体やメッシュ部に重なるように位置するので、ポケットがカバー体等に重ならない構成に比して、メッシュ部の面積を容易に確保することができ、特に夏場における通気性を容易に確保することができ、且つ、縫製も容易である。
【図面の簡単な説明】
【図１】本発明の一実施形態における釣り用上衣を示す背面図であって、カバー体を取り付けた使用状態を示す図。
【図２】同上衣の背面図であって、カバー体を取り外した使用状態を示す図。
【図３】同カバー体を取り外した使用状態であって、ポケットを取り付けた状態を示す図。
【図４】図１のＰ−Ｐ線断面図。
【図５】同上衣におけるカバー体の要部を示す一部破断線を含む拡大図。
【図６】本発明の釣り用上衣を対比説明するための参考図。
【符号の説明】
１…後身頃、２…メッシュ部、３…カバー体、７，８，９，１０，１４…ドット釦、１１…取付用突片、１２，１３…側方袋部、１５…スライドファスナー、３０…ポケット、３１…開口部、３２…表示部、４０，４１…ドット釦、４２，４３…補強片
【図１】
2004159619.tif 000003
【図２】
2004159619.tif 000004
【図３】
2004159619.tif 000005
【図４】
2004159619.tif 000006
【図５】
2004159619.tif 000007
【図６】
2004159619.tif 000008